(57)【要約】【課題】簡素な構造を用いて、極めて簡単な作業によりオプション部材を天板に取り付けることができるオプション部材の取付構造を提供する。【解決手段】天板下面４ａの前端側に補強部材５を設けるとともに、補強部材５に形成した係合孔５１と、オプション部材たるコンセントホルダ６に設けた係合爪６１とから構成してなる係合機構を用いて、コンセントホルダ６を補強部材５に密接させ、スライドさせることによりコンセントホルダ６を補強部材５に対し上下動不能に係り合わせた。【選択図】図１
2004147800.tif 000002
【特許請求の範囲】
【請求項１】
略水平に配置される面板にオプション部材を取り付ける際に適用されるオプション部材の取付構造であり、
前記面板下面の前端側に面板を補強する補強部材を設けるとともに、当該補強部材または前記オプション部材の一方に形成した係合孔と、他方に設けた係合爪とから構成してなる係合機構を用いて、オプション部材を補強部材に密接させ、スライドさせることによりオプション部材を補強部材に対し上下動不能に係り合わさせて取り付けることを特徴とするオプション部材の取付構造。
【請求項２】
前記係合爪が、前後方向に設けた一対の突出部と、当該各突出物の先端からそれぞれ外方に延びる爪本体とを備えてなるものであり、当該係合爪を、前記オプション部材の上面に左右に離間させて一対にして設けていることを特徴とする請求項１記載のオプション部材の取付構造。
【請求項３】
前記係合孔が、前記係合爪の爪本体を通過させる巾広部と、当該巾広部に連続する巾狭部とからなり、当該係合孔を、前記補強部材の前後方向に一対にして設けるとともに所定のピッチで巾方向に複数形成していることを特徴とする請求項１又は２記載のオプション部材の取付構造。
【請求項４】
前記補強部材または前記オプション部材の一方に形成した第２係合孔に、他方に設けた第２係合爪を係わり合わせることにより、補強部材に対するオプション部材の位置決めを行うように構成したことを特徴とする請求項１、２又は３記載のオプション部材の取付構造。
【請求項５】
前記第２係合爪が、前記オプション部材の上面から上方に突出する突部であり、前記第２係合孔が、前記補強部材に設けた嵌合孔であることを特徴とする請求項４記載のオプション部材の取付構造。
【請求項６】
前記補強部材に形成した巾広部が、前記補強部材に設けた嵌合孔と共に第２係合孔としての役割を兼ねているものであり、前記第２係合爪が、前記オプション部材の上面から上方に突出する一対の突部であり、当該一対の突部を前記嵌合孔及び前記巾広部にそれぞれ係わり合わせることを特徴とする請求項４又は５記載のオプション部材の取付構造。
【請求項７】
前記第２係合爪が、前記オプション部材の上面後端部側の略中央から後方に突出する突出板に設けたものであり、当該突出板を、前記第２係合爪と前記第２係合孔との係わり合いを解除し得るように弾性変形可能に設定したものであることを特徴とする請求項４、５又は６記載のオプション部材の取付構造。
【請求項８】
前記オプション部材が、コンセント等の被保持体を着脱可能に保持する保持部を備えていることを特徴とする請求項１、２、３、４、５、６又は７記載のオプション部材の取付構造。
【請求項９】
前記オプション部材がコンセントを保持するコンセントホルダであることを特徴とする請求項１、２、３、４、５、６、７又は８記載のオプション部材の取付構造。
【請求項１０】
前記面板が、左右に離間させた一対の側板の上方に設けた天板であり、或いは前記側板間に略水平に架け渡して設けた棚板であることを特徴をする請求項１、２、３、４、５、６、７、８又は９記載のオプション部材の取付構造。
【請求項１１】
前記天板及び前記棚板の高さ位置をそれぞれ変更可能にする高さ位置調節機能を利用して、前記オプション部材の高さ位置を変更可能に構成していることを特徴とする請求項１０記載のオプション部材の取付構造。
【請求項１２】
前記棚板の後端部と、前記側板の後端部間に略垂直に設けた背板との間に配線引き出し用の空間を形成していることを特徴とする請求項１０又は１１記載のオプション部材の取付構造。
【請求項１３】
前記背板の下端部側に配線引き出し用の空間を形成していることを特徴とする請求項１２記載のオプション部材の取付構造。
【発明の詳細な説明】
【０００１】
【発明の属する技術分野】
本発明は、例えば整理棚等に用いられ、面板を補強する補強部材を利用してオプション部材を取り付ける際に適用されるオプション部材の取付構造に関するものである。
【０００２】
【従来の技術】
近時、オフィス等におけるＯＡ化の進展に伴って、整理棚等の天板にパソコンやサーバ等のコンピュータあるいは照明器具等を載せて使用する機会が増えている。そこで、このようなコンピュータや照明器具の配線処理を行うために、コンセント等を備えた配線装置を天板上又はその近辺に配置して、天板上における作業の便を向上するという態様が取られるている。（例えば、特許文献１、特許文献２）。また、配線装置を上下回転可能に取り付け、使用時にはコンセントを上向きに表出させ、非使用時にはコンセントを下向きに隠蔽するものも考えられている（例えば特許文献３）。
【０００３】
【特許文献１】
実開平７−１７１３６公報
【特許文献２】
特開２０００−１１６４５２号公報
【特許文献３】
特開平１０−１１７４１９号公報
【０００４】
【発明が解決しようとする課題】ところが、天板上に配線装置を設けているものは、常に一定箇所にコンセントが露出した状態となるため、天板面の使用領域の減少や天板面の美観を損なう、ほこりがたまり易い等の不具合がある。また、天板周辺に配線装置を設けた前記特許文献２記載のものは、天板下面の後端側に配置した後枠材にねじ等種々の部材を用いて配線装置を取り付けるため、取付作業が煩雑であるという不具合がある。また、回転式の場合は、使用時及び非使用時でコンセントを常に上下反転させねばならないという作業上の煩雑さや、取付構造が非常に複雑となるという問題点がある。
【０００５】
本発明は、このような課題に着目してなされたものであって、その主たる目的は、簡素な構造を用いて、極めて簡単な作業によりオプション部材を天板等の面板に取り付けることができるオプション部材の取付構造を提供することにある。
【０００６】
【課題を解決するための手段】
すなわち、本発明のオプション部材の取付構造は、略水平に配置した面板にオプション部材を取り付ける際に適用されるものであり、前記面板下面の前端側に面板を補強する補強部材を設けるとともに、当該補強部材または前記オプション部材の一方に形成した係合孔と、他方に設けた係合爪とから構成してなる係合機構を用いて、オプション部材を補強部材に密接させ、スライドさせることによりオプション部材を補強部材に対し上下動不能に係り合わさせて取り付けることを特徴とする。
【０００７】
このようなものであれば、面板下面に設けた補強部材にオプション部材を密接させ、スライドさせるだけという極めて簡単な作業で天板にオプション部材を取り付けることができるので、非常に使い勝手がよく、実用的である。しかも、面板自体には何ら加工を施さないため、面板上の美感を損なうことなく使用領域を有効に確保することができるとともに、補強部材を面板下面の前端側に設けているので、オプション部材の取付位置も面板下面の前端側に取り付けられることになり、オプション部材が面板下面の後端側に位置する場合と比較して、オプション部材に対する操作を容易に行うことができる。
【０００８】
なお、ここで「前端側」、「後端側」とは、それぞれ使用端側、反使用端側の意味である。
【０００９】
前記係合機構の構造の簡素化を図るとともに係合機構による取付強度を有効に高めるには、前記係合爪が、前後方向に設けた一対の突出部と、当該各突出物の先端からそれぞれ外方に延びる爪本体とを備えてなるものであり、当該係合爪を、前記オプション部材の上面に左右に離間させて一対にして設ければよい。
【００１０】
また、前記係合孔が、前記係合爪の爪本体を通過させる巾広部と、当該巾広部に連続する巾狭部とからなり、当該係合孔を、前記補強部材の前後方向に一対にして設けるとともに所定のピッチで巾方向に複数形成しているものであれば、前記と同様に構造の簡素化及び係合機構の取付強度を高めることができるとともに、巾方向に複数設けているので、前記係合爪を任意の係合孔に係わり合わせることによって、補強部材に対するオプション部材の取付位置を簡単に変更することができ、好適に使用することができる。しかも、既存の補強部材に係合孔を設けるだけでよいため簡単に適用できるとともにコストを抑えることができ、さらに、面板の軽量化をも図ることができる。
【００１１】
さらに、前記補強部材または前記オプション部材の一方に形成した第２係合孔に、他方に設けた第２係合爪を係わり合わせることにより、補強部材に対するオプション部材の位置決めを行うように構成したものであれば、オプション部材の位置決めを容易に行うことができ、より使い勝手のよいものとすることができる。
【００１２】
簡素な構成で上記の効果を発揮する具体的な実施形態としては、前記第２係合爪が、前記オプション部材の上面から上方に突出する突部であり、前記第２係合孔が、前記補強部材に設けた嵌合孔であるものが挙げられる。
【００１３】
また、補強部材に対するオプション部材の位置決め機能を高めるとともに、位置決めした状態における両部材の相対移動を有効に防止するためには、前記補強部材に形成した巾広部が、前記補強部材に設けた嵌合孔と共に第２係合孔としての役割を兼ねているものであり、前記第２係合爪が、前記オプション部材の上面から上方に突出する一対の突部であり、当該一対の突部を前記嵌合孔及び前記巾広部にそれぞれ係わり合わせるようにすればよい。
【００１４】
加えて、前記第２係合爪が、前記オプション部材の上面後端部側の略中央から後方に突出する突出板に設けたものであり、当該突出板を、前記第２係合爪と前記第２係合孔との係わり合いを解除し得るように弾性変形可能に設定したものでれば、突出板の弾性を利用して、指等で突出板を操作することによって簡単に前記第２係合爪と前記第２係合孔との係わり合いを解除することができる。
【００１５】
特に、前記オプション部材が、コンセント等の被保持体を着脱可能に保持する保持部を備えているものであれば、この保持部を利用して、情報コンセントや電源コンセント、或いはその他種々の部材を保持することができ、天板上の使用態様に合わせた汎用的利用が可能となる。
【００１６】
好適な実施例としては、前記オプション部材がコンセントを保持するコンセントホルダであるものが挙げられる。
【００１７】
特に、前記面板が、左右に離間させた一対の側板の上方に設けた天板であり、或いは前記側板間に略水平に架け渡して設けた棚板であることが好ましい。
【００１８】
加えて、前記天板及び前記棚板の高さ位置をそれぞれ変更可能にする高さ位置調節機能を利用して、前記オプション部材の高さ位置を変更可能に構成しているものであれば、使用態様に合わせてオプション部材の高さ位置を容易に変更することができ、使い勝手の向上をさらに図ることができる。
【００１９】
また、前記棚板の後端部と、前記側板の後端部間に略垂直に設けた背板との間に配線引き出し用の空間を形成すれば、当該空間を利用して、前記コンセントの配線コードを挿通させることができ配線処理の便を図るをことができる。
【００２０】
特に、前記背板の背面側に前記コンセントの配線を引き込めるようにしてより好適な配線処理を行えるようにするには、前記背板の下端部側に配線引き出し用の空間を形成すればよい。
【００２１】
【発明の実施の形態】
以下、本発明の一実施形態を、図面を参照して説明する。
【００２２】
本実施形態に係る取付構造は、図１に示すように、例えば卓上整理棚Ｌの面板たる天板４にオプション部材たるコンセントホルダ６を取り付ける際に適用されるものである。
【００２３】
卓上整理棚Ｌは、机Ｄ等の卓上ＤＴに載置して用いるものであって、図１〜５にそれぞれ示すように、左右に離間させて１対設けた側板１と、前記側板１間に略水平に架け渡して設けた棚板２と、前記１対の側板１の後端部間に略垂直に設けた背板３と、前記側板１の上方に設けた天板４とを有する。
【００２４】
前記側板１は、それぞれ１枚の金属板を折り返し、その両端部を重合させて中空の板状に形成したものであり、その上面を隠蔽する上蓋体１１を具備する。
【００２５】
前記棚板２は、本実施形態では板金加工により形成している。具体的には、図２におけるＢ−Ｂ断面図を図６、図６におけるＹ−Ｙ部分拡大図を図７、図３におけるＤ−Ｄ断面図を図８、図８における領域Ｚの拡大図を図９に示すように、１枚の金属板の前端縁部及び後端縁部を下方に折り返して第１折り返し部２１を設けているとともに、左右両端縁部を下方に折り返して第２折り返し部２２を設けている。さらに、第１折り返し部２１に隣接させて、巾方向に延びる補強材２３を溶接等により設けている。
【００２６】
前記背板３は、主として前面側を構成する前板と、主として後面側を構成する後板とを前後に対向させ、これら前板及び後板の上端縁部、下端縁部、及び両側端縁部を互いに向かい合わせに折り返し、これら前板と後板との接合部分を溶接することにより、中空の板状に形成しているものである。また、図６に示すように、この背板３と前記棚板２の後端２ｘとの間、及びこの背板３の下端部３ｘとこの卓上整理棚Ｌを載置する机Ｄの上面ＤＴとの間に空間Ｓ１及びＳ２を設け、後述する電源コンセント７の配線コード７１を挿通可能にしている。
【００２７】
前記天板４は、略矩形状をなす板状のものであり、前端縁部、後端縁部及び両側端縁部をそれぞれ折り返して内方に折り込ませている。そして天板下面４ａにおける隅部から補助支柱４１を略鉛直下方に延ばして設けている。
【００２８】
この卓上整理棚Ｌは、天板４の高さ位置を変更可能する天板高さ位置調節機能を有する。具体的には、前記図２、図２におけるＡ−Ａ断面図である図１０、及び図１０のＸ−Ｘ部分拡大図である図１１、側板１の平面図を図１２に示すように、前記補助支柱４１にその太さ寸法を縮小させて設けた係合溝４ａを相互に所定ピッチｐだけ離間させて複数、本実施形態では３箇所形成している。その上で、前記側板１の上面に前記係合溝４ａに係合可能な係合孔１ａと前記補助支柱４１を挿通可能に構成した挿通孔１ｂとを連通させてなる取付孔１２ａを一対に形成した天板取付体１２を利用して、前記係合溝４ａと前記係合孔１ａとを係り合わせるようにしている。具体的に、前記図２の実線に示す第１天板取付位置とに天板４を選択的に取り付けることができる。また、第１天板取付位置と第２天板取付位置、及び第２天板取付位置と第３天板取付位置とは、それぞれ距離ｐだけ離間している。なお、天板取付体１２は、上蓋体１１の上面に形成した溝１１ａに挿入するようにしている。
【００２９】
このように構成した卓上整理棚Ｌの天板４の高さを変更するには、まず、前記天板取付体１２を奥行き方向にスライドさせる等して、挿通孔１ｂ中に補助支柱４１を挿し通した状態にする。次いで、天板４を希望する高さ位置に上下させる。そして、前記天板取付体１２を再び奥行き方向にスライドさせ、前記係合溝４ａと前記係合孔１ａとを係り合わせる。
【００３０】
また、この卓上整理棚Ｌは、棚板２の高さ位置を変更可能にする棚板高さ位置調節機能を有している。すなわち、前記図２の実線に示す第１棚板取付位置と、この第１棚板取付位置の上方に位置し、前記図２の想像線に示す第２、第３棚板取付位置とに棚板２を選択的に取り付けることができる。具体的には、側板１の内側面に、棚板取付具２４を取り付け可能に構成され、棚板取付孔１ｃを複数、本実施形態では３箇所に、高さ方向に所定ピッチｐだけ相互に離間させて設けているとともに、棚板取付具２４を介して前記棚板２を図６〜図９に示すように取付可能にしている。この棚板取付孔１ｃ間のピッチｐは、前記係合溝４ａ間のピッチと同一である。
【００３１】
この棚板２の高さ位置は次のようにして変更する。まず、棚板２を持ち上げて、棚板取付具２４から取り外す。次に、棚板取付具２４の一部に設けた係合爪２４ａと側板１の棚板取付孔１ｃとの係合を解除する。そして、左右の棚板取付具２４をそれぞれ所望の高さ位置の棚板取付孔１ｃに、係合爪２４ａを係り合わせて取り付ける。最後に、棚板２の第２折り返し部２２を棚板取付具２４の上面に載置する。すなわち、棚板２は、図２及び図７の実線に示す第１棚板取付位置と、この第１棚板取付位置から上方にｐだけ離間した第２棚板取付位置と、この第２棚板取付位置からさらに上方にｐだけ離間した第３棚板取付位置とに選択的に取り付けることができる。
【００３２】
以上のように構成することで、天板４の高さ位置と棚板２の高さ位置とをともに互いに独立に変更できるので、棚板２下方の空間及び天板４と棚板２との間の空間の高さ寸法を必要に応じて変更でき、より幅広い使用形態に対応できる。
【００３３】
しかして本実施形態においては、この天板４の下面４ａの使用端側である前端側に補強部材５を溶接等により設け、補強部材５に形成した係合孔５１と、前記コンセントホルダ６に設けた係合爪６１とから構成してなる係合機構を用いて、コンセントホルダ６を補強部材５に対し上下動不能に係り合わさせて取り付けている。
【００３４】
具体的に、補強部材５は、前記図６、図６における領域Ｅの拡大図である図１３、一部を省略した平面図を模式的に示す図１４等に示すように、例えば板金素材からなり、略矩形状の平板面５２の長手方向に沿う前縁部５３を上方に向けて２段階折り曲げるとともに、長手方向に沿う後縁部５４を２段階折り曲げて略逆Ｌ字形に形成したものであり、天板４と接する箇所に溶接等を施して天板４に固定している。そして平板面５２には複数の係合孔５１及び第２係合孔５５を形成している。
【００３５】
係合孔５１は、例えば、図１４に示すように、後述する係合爪６１の爪本体６１ｂを通過させる開口巾寸法を有する矩形状の巾広部５１ａと、巾広部５１ａの側方に連続し、巾広部５１ａの開口巾寸法よりも小さい開口巾寸法を有する矩形状の巾狭部５１ｂとからなる略Ｌ字形状の孔である。このような係合孔５１を、前記平板面５２の前後方向に所定距離ｄ１離間して一対にして設けるとともに長手方向に２列で所定距離ｄ２離間して複数形成している。なお、図１、図２５に示すように、所定距離ｄ２離間して複数形成した係合孔５１を、補強部材５の中央部を挟んで左右対称に形成している。
【００３６】
第２係合孔５５は、平板面５２の後縁部５４側に位置する係合孔５１の各巾広部５１ａの間に設けた平面視円形の嵌合孔５５ａと、前記巾広部５１ａとから構成される。嵌合孔５５ａは、巾広部５１ａから所定距離ｄ７離間した位置に設けている。
【００３７】
コンセントホルダ６は、図１５〜１９、図１７におけるＰ−Ｐ断面図である図２０、図１７におけるＱ−Ｑ断面図である図２１に示すように、例えば合成樹脂素材からなる一体成型品であり、内部に空間Ｓ３を有する概略箱型の形状をなし、前壁面６ｃの一部及び後壁面６ｄの略全域に開口を設けたものである。前壁面６ｃの開口は、被保持体である電源コンセント７の挿入を可能とするコンセント挿入口６２として機能する。コンセント挿入口６２の両側面には開口巾寸法を狭くするための膨出部６３をそれぞれ設けている。この膨出部６３は、正面視略三角形状のものである。膨出部６３に連続して上面６ａ及び下面６ｂに向かってそれぞれ延びる縦リブ６４と、側壁面６ｅに向かって延びる横リブ６５とを設け、これら膨出部６３、縦リブ６４及び横リブ６５をコンセント挿入口６２から前記空間Ｓ３内に一体に延出させて、電源コンセント７を両側面から挟むようにして保持する保持部６６として機能させている。なお、縦リブ６４、横リブ６５はコンセントホルダ５に保形性及び強度を付与するものでもある。また、コンセントホルダ６は、全体として前壁面６ｃから後壁面６ｄに向かって漸次拡開するテーパ形状をなすものである。加えて、コンセントホルダ６の上面６ａを略水平に設定しているのに対して、コンセントホルダ６の下面６ｂを若干傾斜させている。そして、コンセントホルダ６の上面６ａの適宜４箇所に、前記係合爪６１を一体に設けている。また、上面６ａの後壁面６ｄ側の略中央部から後方に突出する突出板６５を設けている。
【００３８】
具体的に、係合爪６１は、前後方向に、前記係合孔５１の前後方向の離間距離ｄ１より若干長い距離ｄ３だけ離間して設けた一対の突出部６１ａと、この各突出物６１ａの先端部からそれぞれ外方すなわち、背向する方向に向かって延びる爪本体６１ｂとを一体に備えてなるものであり、左右に所定距離ｄ４離間させて一対にして設けている。この距離ｄ４は、前記係合孔５１の長手方向の離間距離ｄ２の略４倍の長さに相当する。この係合爪６１は、全体的に上面６ａの略中央位置より後壁面６ｄ側に変位した位置に形成し、後壁面６ｄ側に設けた係合爪６１の爪本体６１ｂを、後壁面６ｄより後方に突出するように設定している。
【００３９】
突出板６５は、略矩形状のものであり、上方に若干突出し前記嵌合孔５５ａに係合する平面視円形の突部６５ａを所定距離ｄ８離間して一対に設けている。各突部６５ａは頂面の一部から他方の突部６５ａが位置する方向に向かって漸次傾斜するテーパ面をそれぞれ形成している。前記所定距離ｄ８は、前記第２係合孔５５の嵌合孔５５ａと巾広部５１ａとの離間距離ｄ７と略同一となるように設定している。そして、この突部６５ａを、第２係合孔５５と係わり合う本発明の第２係合爪として機能させている。また、突出板６５の基端部近傍には、後壁面６ｄから前壁面６ｃに向かって所定長さのスリットＳＬを形成し、突出板６５にある程度弾性を有するように設定している。
【００４０】
次に、このように構成したコンセントホルダ６の取付方法を以下に述べる。
【００４１】
図２２に示すように、予め、コンセント挿入口６２から電源コンセント７を挿入し、保持部６４に電源コンセント７を保持させておく。なお、天板下面４ａの後端側に、前記図６に示す電源コンセント７の配線コード７１を引っ掛け得るフック６７を設けておけば、このフック６７を利用して配線コード７１を天板下面４ａ側に配置することができ、天板４の下方空間を有効に確保することができる。このフック６７は補強部材５の一部を利用して作り込むことが好適である。本論に戻って、次に、図２３に図示するように、各係合爪６１の爪本体６１ｂを、所望の取付位置に位置する各係合孔５１の巾広部５１ａに挿入して、補強部材５の下方にコンセントホルダ６を密接させるようにする（同図（ａ））。この時、第２係合爪たる一対の突部６５ａは、平板面５２に当たっている。次いで、コンセントホルダ６を同図中の矢印の方向に（水平方向に）スライド移動させて、係合爪６１を係合孔５１の巾狭部５１ｂ側に位置させる（同図（ｂ））。その際、同時に突部６５ａの一方が嵌合孔５５ａに勘合するとともに、他方が巾広部５１ａに填り込み、一対の突部６５ａが第２係合孔５５と係わり合うことになる。その結果、補強部材５に対するコンセントホルダ６の位置が決定され、この状態において、コンセトホルダ６の上面６ａと爪本体６１ｂの下端部との間に補強部材５の平板面５２が位置することになり（前記図１３参照）、コンセントホルダ６の補強部材５に対する相対移動が禁止される。
【００４２】
コンセントホルダ６を補強部材５から取り外す場合は、先ず、突出板６５の弾性を利用して突出板６５を、下方に引っ張るように操作し、突部６５ａと第２係合孔との係合状態を解除する。引き続き、上記の作業と逆の作業をすれば、コンセントホルダ６を補強部材５から取り外すことができる。また、必要であれば異なる取付位置を選択して、補強部材５にコンセントホルダ６を取り付けることができる。
【００４３】
このように、本実施形態に係るコンセントホルダ６の取付構造は、前記天板下面４ａの前端側に補強部材５を設けるとともに、補強部材５に形成した係合孔５１と、コンセントホルダ６に設けた係合爪６１とから構成してなる係合機構を用いて、コンセントホルダ６を補強部材５に密接させ、スライドさせることによりコンセントホルダ６を補強部材５に対し上下動不能に係り合わさせるという極めて簡単な作業で天板４にコンセントホルダ６を取り付けることができる。しかも、天板４自体には何ら加工を施さないため、天板４上の美感を損なうことなく使用領域を有効に確保することができる。さらに、補強部材５を天板下面４ａの前端側に設けているので、コンセントホルダ６の取付作業を容易に行うことができるとともに、コンセントホルダ６が天板下面４ａの前端側に取り付けられることになるため、コンセントホルダ６が天板下面４ａの後端側に位置する場合等と比較して、コンセントホルダ６に保持させている電源コンセント７への差込操作等を容易に行うことができる。
【００４４】
また、係合爪６１が、前後方向に設けた一対の突出部６１ａと、各突出物６１ａの先端からそれぞれ外方に延びる爪本体６１ｂとを備えてなるものであり、係合爪６１を、コンセントホルダ６の上面６ａに左右に離間させて一対にして設けているため、簡単な構造によって係合機構による取付強度を有効に高めることができる。
【００４５】
さらに、係合孔５１が、係合爪６１の爪本体６１ｂを通過させる巾広部５１ａと、巾広部５１ａに連続する巾狭部５１ｂとからなり、係合孔５１を、補強部材５の前後方向に一対にして設けているので、前記と同様に係合機構の取付強度を高めることができるとともに、係合孔５１を巾方向に複数設けているので、係合爪６１を任意の係合孔５１に係わり合わせることによって、補強部材５に対するコンセントホルダ６の取付位置を簡単に変更することができ、使用態様に合わせて柔軟に対応することができる。しかも、補強部材５に係合孔５１を設けているため、係合孔を設けた別部材を用いる必要がなく、構造の簡素化を図ることができるとともに、天板４の軽量化をも有効に図ることができる。
【００４６】
また、補強部材５に形成した第２係合孔５５にコンセントホルダ６に設けた第２係合爪たる突部６５ａを係わり合わせることにより、補強部材５に対するコンセントホルダ６の位置決めを行うように構成しているため、簡素な構造でコンセントホルダ６の位置決めを容易に行うことができ、より使い勝手のよいものとすることができる。また、突部６５ａにテーパ面を設けているので、突部６５ａの第２係合孔５５へのスムーズな係合を実現することできる。
【００４７】
特に、補強部材５に形成した巾広部５１ａが、補強部材５に設けた嵌合孔５５ａと共に第２係合孔５５として機能させ、一対に設けた突部６５ａを嵌合孔５５ａ及び巾広部５１ａにそれぞれ係わり合わせるようにしているため、２点で位置決めされることになり、補強部材５に対するコンセントホルダ６の位置決め機能を高めるとともに、位置決めした状態における補強部材５に対するコンセントホルダ６の相対移動を有効に防止することができる。
【００４８】
加えて、突出板６５にスリットＳＬを設け、突出板６５をコンセントホルダ６の上面６ａに対して弾性変形可能に設定しているので、その弾性を利用して、指等で突出板６５を操作することによって簡単に前記第２係合爪と前記第２係合孔との係わり合いを解除することができ、コンセントホルダ６の取付位置を容易に変更することができる。
【００４９】
しかも、天板高さ位置調節機能を利用して、コンセントホルダ６が取り付けられる高さ位置を使用態様に合わせて容易に変更することができる。
【００５０】
また、棚板２の後端部２ｘと背板３との間、及び背板３の下端部ｘ側に空間Ｓ１、Ｓ２を形成しているので、この空間Ｓ１及びＳ２を利用して、電源コンセント７の配線コード７１の配線処理を好適に行うことができる。
【００５１】
なお本発明は以上に述べた実施形態に限られない。
【００５２】
例えば、棚板２の下面に設けた補強材２３にコンセントホルダ６を取り付けても構わない。この場合も棚板高さ位置調節機能を利用することによってコンセントホルダ６の高さ位置も容易に変更することができる。また、卓上整理棚Ｌを、載置する机Ｄの天板下面に適宜の補強部材を設け、当該補強部材にコンセントホルダを取り付けてもよい。
【００５３】
また、補強部材５に係合爪を設けるとともに、コンセントホルダ６にその係合爪に係わり合う係合孔を係止したものであっても好適に使用することができる。また、係合爪の個数を増減してもよく、その場合には係合孔の数も適宜増減すればよい。さらに、係合孔はＬ字形状のものに限らず、大径部と小径部を連続して設けた達磨形状のものであっても構わない。
【００５４】
また、第２係合爪を補強部材５に設けるとともに、コンセントホルダ６に第２係合孔を形成してもよい。
【００５５】
また、第２係合爪たる突部６５ａを１つだけ設け、当該突部６５ａを、第２係合孔の嵌合孔５５ａに係合させるようにしてもよい。この場合、上記実施形態のように係合孔５１及び嵌合孔５５ａを補強部材５の中央部を挟んで左右対称に形成するのではなく、例えば、補強部材５のどの位置においても、前記巾広部の側方に連続してなる巾狭部が、巾広部の左側或いは右側にのみ位置するように形成するとともに、嵌合孔５５ａを巾広部から所定距離離間した位置に形成すればよい。このようにすれば、コンセントホルダを補強部材５の左右どちらの取付位置においても突部６５ａを嵌合孔５５ａに係合させることができる。なお、このように係合孔５１及び嵌合孔５５ａを補強部材５の中央部を挟んで左右対称に設けていない場合には、コンセントホルダのスライド方向が同じになるため、コンセントホルダを天板又は棚板の一端側に寄せて取り付けることはできても、他端側に寄せて取り付けることはできない。このような不具合を解消するためには、上記実施形態のように、係合孔５１及び嵌合孔５５ａを、補強部材５の中央部を挟んで左右対称に設けるとともに、突部６５ａを２つ設け、一の突部を嵌合孔５５ａに係合させるとともに、他の突部を係合孔５１の一部に係合させればよい。
【００５６】
また、突部を１つだけ設けるとともに、該突部を、第２係合孔として機能する嵌合部或いは巾広部に係合させてもよい。さらに、突出板は、第２係合爪と第２係合孔との係合状態を解除し得る程度の弾性を有するものであればよく、弾性を付与する構成は基端部近傍にスリットを設ける以外の構成を採用するものであっても当然構わない。
【００５７】
また、コンセントホルダ６の形状、寸法等は上記実施例のものに限られないのは勿論である。
【００５８】
さらに、オプション部材として前記コンセントホルダ６の代わりに、図２４に示すようなコンセントホルダ８を用いても構わない。このコンセントホルダ８は図示しない情報コンセントを保持し得るものであり、その上面８ａに係合爪８１を設けている。この係合爪８１の前後方向の離間距離ｄ５を前記係合爪６１の前後方向の離間距離ｄ３と、また巾方向の離間距離ｄ６を前記係合孔５１の巾方向の離間距離ｄ２とそれぞれほぼ同一となるよう設定している。また、前記コンセントホルダ６と同様に、突出板８５を設け、この突出板の上面に突部８５ａを所定距離ｄ９離間して一対に形成している。なお、この離間距離ｄ９は、前記第２係合孔５５の嵌合孔５５ａと巾広部５１ａとの離間距離ｄ７と略同一となるように設定している。このようなものであれば、前記コンセントホルダ６と略同様の効果を得ることができる。なお、このコンセントホルダ８を、前記コンセントホルダ６と隣接する位置に、または巾方向に離間した位置に取り付けて同時に使用することも可能である。その他、オプション部材として補強部材に取付可能なタスクライトや拡張天板等を適用しても構わない。
【００５９】
その他、本発明の趣旨を損ねない範囲で種々に変更してよい。
【００６０】
【発明の効果】
以上説明したように本発明によれば、天板下面に設けた補強部材にオプション部材を密接させ、スライドさせるだけという極めて簡単な作業で天板にオプション部材を取り付けることができるので、非常に使い勝手がよく、実用的である。しかも、天板自体には何ら加工を施さないため、天板上の美感を損なうことなく使用領域を有効に確保することができるとともに、補強部材を天板下面の前端側に設けているので、オプション部材の取付位置も天板下面の前端側に取り付けられることになり、オプション部材が天板下面の後端側に位置する場合と比較して、オプション部材に対する操作・作業を容易に行うことが可能なオプション部材の取付構造を提供することができる。
【図面の簡単な説明】
【図１】本発明の一実施形態における卓上整理棚の斜視図。
【図２】同実施形態における卓上整理棚の正面図。
【図３】同平面図。
【図４】同側面図。
【図５】同底面図。
【図６】図２におけるＢ−Ｂ断面図
【図７】図６における領域Ｙ−Ｙの拡大図。
【図８】図３におけるＤ−Ｄ断面図。
【図９】図８における領域Ｚの拡大図。
【図１０】図２におけるＡ−Ａ断面図。
【図１１】図１０における領域Ｘ−Ｘの拡大図。
【図１２】同実施形態における卓上整理棚の側板の平面図。
【図１３】図６における領域Ｅの拡大図。
【図１４】同実施形態における卓上整理棚の補強部材の一部を省略して模式的に示す背面図。
【図１５】同実施形態におけるコンセントホルダを正面側から示す斜視図。
【図１６】同背面側から示す斜視図。
【図１７】同正面図。
【図１８】同背面図。
【図１９】同平面図。
【図２０】図１７におけるＰ−Ｐ断面図。
【図２１】図１７におけるＱ−Ｑ断面図。
【図２２】同実施形態において電源コンセントを装着したコンセントホルダ示す斜視図。
【図２３】作用説明図。
【図２４】同実施形態におけるコンセントホルダの一変形例を示す斜視図。
【図２５】同実施形態における補強部材の平板面を模式的に示す背面図。
【符号の説明】
１…側板
２…棚板
３…背板
４…天板（面板）
４ａ…天板下面（面板下面）
５…補強部材
５１…係合孔
５１ａ…巾広部
５１ｂ…巾狭部
６…コンセントホルダ（オプション部材）
６１…係合爪
６１ａ…突出部
６１ｂ…爪本体
６６…保持部
７…電源コンセント（被保持体）
Ｓ１、Ｓ２…空間
５５…第２係合孔
５５ａ…嵌合部
６５…突出板
６５ａ…突部（第２係合爪）
【図１】
2004147800.tif 000003
【図２】
2004147800.tif 000004
【図３】
2004147800.tif 000005
【図４】
2004147800.tif 000006
【図５】
2004147800.tif 000007
【図６】
2004147800.tif 000008
【図７】
2004147800.tif 000009
【図８】
2004147800.tif 000010
【図９】
2004147800.tif 000011
【図１０】
2004147800.tif 000012
【図１１】
2004147800.tif 000013
【図１２】
2004147800.tif 000014
【図１３】
2004147800.tif 000015
【図１４】
2004147800.tif 000016
【図１５】
2004147800.tif 000017
【図１６】
2004147800.tif 000018
【図１７】
2004147800.tif 000019
【図１８】
2004147800.tif 000020
【図１９】
2004147800.tif 000021
【図２０】
2004147800.tif 000022
【図２１】
2004147800.tif 000023
【図２２】
2004147800.tif 000024
【図２３】
2004147800.tif 000025
【図２４】
2004147800.tif 000026
【図２５】
2004147800.tif 000027